(57)【要約】【課題】  インプラントに対して基準部材を配して、例え１本から数本の歯の位置であっても、口腔内における上顎又は下顎の全体を考慮に入れた咬合採得法と、この咬合採得法から３Ｄ図で表示する歯科用３Ｄ図作成方法及び歯科用３Ｄ図作成プログラムを提供する。【解決手段】  口腔内に配されたインプラントＰに対して装着される基準部材１０（１Ａ）に対して、歯の咬み合わせ状態を記録するチェックバイト１１を取り付け、このチェックバイト１１に対して歯の咬み合わせ位置を記録し、この記録したチェックバイト１１ｂから３Ｄ化したチェックバイト１１ｂ作成する。【選択図】  図９
2015165829.tif 000002
【特許請求の範囲】
【請求項１】
粘着性材料であるチェックバイトにより歯の咬み合わせ位置を記録する咬合採得法において、口腔内に配されたインプラントに対して基準部材を取り付けるとともに、この基準部材を介して前記チェックバイトを配して歯の咬み合わせ位置を記録することを特徴とする咬合採得法。
【請求項２】
前記咬み合わせ記録は、１本から数本の義歯を製作するために、その範囲に及ぶチェックバイトを使用して歯の咬み合わせを記録するもので、前記基準部材を複数本使用して口腔内における前記チェックバイトの位置決めをすることを特徴とする請求項１記載の咬合採得法。
【請求項３】
前記咬み合わせ記録は、上顎又は下顎の全ての義歯を製作するために、その範囲に及ぶチェックバイトを使用して歯の咬み合わせを記録するもので、前記基準部材を複数本使用して口腔内における前記チェックバイトの位置決めをすることを特徴とする請求項１記載の咬合採得法。
【請求項４】
前記請求項１ないし３のいずれか１項記載の歯の咬み合わせ記録したチェックバイトから咬み合わせ記録３Ｄ図を作成するか、又は、前記基準部材を含めて前記歯の咬み合わせ記録したチェックバイトから咬み合わせ記録３Ｄ図を作成することを特徴とする請求項１ないし３のいずれか１項記載の咬合採得法。
【請求項５】
前記基準部材は、歯の咬み合わせ位置を記録するためのバイト材が配されるバイト材固定部と、口腔内に配されたインプラントに対して着脱させるためのインプラント連結部とを備えた歯科用位置合わせ治具であることを特徴とする請求項１ないし４のいずれか１項記載の咬合採得法。
【請求項６】
３Ｄ（三次元）図で歯の咬み合わせを記録する歯科用３Ｄ図作成方法において、歯の咬み合わせ位置を記録するチェックバイトと、口腔内に配されたインプラントに対して装着される３Ｄ図作成のための基準部材とを配して、この基準部材をインプラントに装着させた状態でチェックバイトに歯の咬み合わせ位置を記録し、この記録したチェックバイトから咬み合わせ記録３Ｄ図を作成することを特徴とする歯科用３Ｄ図作成方法。
【請求項７】
前記咬み合わせ部材のチェックバイトは、複数の歯に対応した複数箇所において歯の咬み合わせ位置を記録し、前記咬み合わせ記録３Ｄ図は、上記複数箇所において歯の咬み合わせ位置を記録したものを連続するように表示した咬み合わせ記録３Ｄ図であることを特徴とする請求項６記載の歯科用３Ｄ図作成方法。
【請求項８】
前記基準部材を含めて前記咬み合わせ記録３Ｄ図を作成することを特徴とする請求項６又は７記載の歯科用３Ｄ図作成方法。
【請求項９】
３Ｄ図で作成した仮想の咬合器をコンピュータ画面上に表示して、前記咬み合わせ記録３Ｄ図とを合成することを特徴とする請求項６ないし８のいずれか１項記載の歯科用３Ｄ図作成方法。
【請求項１０】
３Ｄ図で作成した仮想の義歯を有する仮想のロウ堤をコンピュータ画面上に表示して、前記咬み合わせ記録３Ｄ図とを合成することを特徴とする請求項６ないし８のいずれか１項記載の歯科用３Ｄ図作成方法。
【請求項１１】
前記請求項６ないし８のいずれか１項記載の歯科用３Ｄ図作成方法によるデータを集めて加工する３Ｄ画像処理手段と、咬み合せしたときのチェックバイトから採取される歯型の形状（歯型跡）や溝の深さ（高さ）を測定する歯型採取処理手段とを備えることを特徴とする歯科用３Ｄ図作成プログラム。
【発明の詳細な説明】
【技術分野】
【０００１】
本発明は、冠やブリッジや総入れ歯などの義歯を製作・調整したり口腔内の検査などを行うために使用する咬合採得法と、これを３Ｄ図で仮想のチェックバイトなどを作成する歯科用３Ｄ図作成方法と歯科用３Ｄ図作成プログラムに関する。
【背景技術】
【０００２】
従来、冠やブリッジや総入れ歯などの義歯などを製作する場合、まず口腔内の型を取り（印象採得）、次に咬合採得と呼ばれる作業、つまりロウ堤を配して上下の歯の位置関係を記録する作業を行なう。保険用語では「Bite Taking:BT」と呼ばれるが、この咬合採得を行って歯の咬み合わせ位置を記録することによって、実際の口腔内の状態と近い形で作業用模型を咬合器に装着することが可能となり、作業用模型上で検査や補綴物の製作・調整などを行う。咬合器（こうごうき）とは、歯科医療における治療・研究等を目的として、作業用模型上で顎運動や咬合のさまざまな位置を再現する装置である。咬合器は、中心咬合位などの特定の咬合位を再現するものや、側方運動や前方滑走運動などの顎運動を再現するもの等、目的に応じて様々な形態の装置が開発されている（特許文献１）。
【０００３】
入れ歯を製作する工程としては、まず型取り材で概形を取り、この概形から起こした石膏模型を見て個人トレーという印象するための「お皿」を作り、それを使って精密印象を取る。このトレーを実際に口の中に入れ、噛んだり口をすぼめたり舌を出したり運動をさせるなどして形を作る。そこに細かいところまで再現できる型取り材を流して精密な印象を取る。このようにしてとった印象から、石膏の模型を作るが、これが歯科技工士が技工操作で義歯を作っていく土台（作業用模型）になる。
入れ歯（義歯）を作る上で、最も重要なのは「咬み合わせ」である。咬み合わせは、一般には、高径（咬合高径や、高さ位置、高低とも呼ばれる。）が考慮されることが多いが、上下の歯の位置合わせは、そのような単純なものではなく、上下のほかに、正中位置を決定したり、前歯の位置を決定したり、水平的顎位置を決定したり等多くの測定が必要になる。しかも、その測定には、土台がしっかり固定されている状態で測定されて初めて有効な咬み合わせになる。
【０００４】
なお、特許文献１には、義歯製作時の咬合調整器具に関するものが開示され、特許文献２には、義歯を作る際に、記録床を使って下顎を記録する方法に関するものが開示されている。
一方、特許文献４〜６などには、印象部材の３Ｄ図（三次元模型）を得る方法が開示されている。
【０００５】
一般に咬合採得と呼ばれる作業は、ロウ堤と呼ばれる蝋でできた人工堤（総入れ歯の場合はＵ字状になるが、部分入れ歯の場合はその部分の形状を呈する。）に歯の位置関係を記録する。ロウ堤は、本模型に樹脂を盛り、個人トレーのように成型し、その上にロウを焼き付けて製作し、このロウ堤を患者の口に入れて咬み合わせの位置を決める。図１５は、は、咬合器Ｋに義歯Ｓを配置して、その間にロウ堤Ｔを介在させたものである。実際の口腔内も同じような状態になる。図１４は、咬合採得を経て義歯を製造するまでのフロー図である。なお、上記特許文献１も２も上記ロウ堤を使用すると考えられる。
しかしながら、このロウ堤Ｔによる咬合採得で上下の歯の咬み合わせでは、精度の高い咬合採得ができないという問題を有している。その理由としては、咬み合わせのタイミング等の従来から言われている要因のほかに、本願発明者の知見によれば、口腔内の土台（歯肉部）が変形することがあり、特に、高齢者のように歯肉部の衰えなどがあると、口腔内にロウ堤を入れて正確な咬み合わせ位置を記録することは難しい。
また、例えば、歯の本数がすべて揃っておらず、１本でも欠損しているような場合は、その位置での咬み合わせはできないが、奥歯のように咬み合わせの基準となるような箇所では、その位置での咬み合わせが可能になれば、正確な咬み合わせを実現できると、本願発明者は考える。
【０００６】
他方、歯科技工士の側からすると、上記咬み合わせ状態を実際に確認するのは歯科医師であることが多く（歯科医院内に歯科技工士がいる医院は少ない。）、このため、上記ロウ堤を忠実に再現するように冠やブリッジや総入れ歯などの義歯を製造するが、医院で、患者に装着しても、歯科技工士のイメージとは差異が生じる。
【０００７】
そして、従来の咬合採得では、ロウ堤を使用するが、口を広げて多量のロウ堤を入れられる患者の負担は大きく、しかも、上記のような問題があるために、ロウ堤を使用しなくとも正確な咬合採得ができるとなれば、材料費の無駄を省き、作業工程の短縮が図られると、本願発明者は考える。
【０００８】
そこで本願発明者は、ロウ堤を使用せずに、しかも精度の高い咬合採得が可能な歯科用位置合わせ治具とこの位置合わせ治具を使用した咬合採得法を開発して、その特許を既に取得している（特許文献３）。
【特許文献１】特許第３７７１５３４号公報
【特許文献２】特開２００５−１５２１０６号公報
【特許文献３】特許第４８６３２３５号公報
【特許文献４】特表２０１２−５００６７３号公報
【特許文献５】特開２００９−５４４４１７号公報
【特許文献６】特表２０１２−５０２７０３号公報
【発明の開示】
【発明が解決しようとする課題】
【０００９】
上記特許文献４〜６に示すように、咬合採得の分野においては、これを３Ｄ図化（三次元化）して表示することが行なわれるようになってきた。
しかしながら、歯の咬み合わせ位置を記録するときに、基準とするものがないと、単に所定箇所を写した情報（スキャニング等した情報）だけでは、正確な印象の３Ｄ図化（三次元化）しても正確な咬合採得にはならない。すなわち、印象の３Ｄ図（三次元模型）はその仮想性ゆえにいくらでも作成可能ではあるが（営業用に簡単に３Ｄ図は作成できるが）、正確なデータに基づかない３Ｄをいくら作成しても、その３Ｄ図は、義歯などの作成の基になるもの（例えば咬合印象）とはならない。
一方、本願発明者は、１本から数本の特定の義歯を作成する場合において、一本の義歯を作成する場合においても、それは全体の口腔内における特定の数本や一本の問題であって、正確な義歯を得るためには、口腔内全体における位置を考慮する必要があると考える。また、特定の一本の義歯であるとしても、その特定の位置におけるズレなどを考慮に入れた義歯を製造する必要があると考える。
しかしながら、このような場合に常に口腔内の全ての歯を考慮に入れて３Ｄ図を作成することは複雑で多大な労力が必要になる。
【００１０】
そこで本発明の目的は、インプラントに対して基準部材を配して、例え１本から数本の歯の位置であっても、口腔内における上顎又は下顎の全体を考慮に入れた咬合採得法と、この咬合採得法から３Ｄ図で表示する歯科用３Ｄ図作成方法及び歯科用３Ｄ図作成プログラムを提供することにある。
【課題を解決するための手段】
【００１１】
本発明の咬合採得法は、口腔内に配されたインプラントに対して装着される基準部材に対して、歯の咬み合わせ状態を記録するチェックバイトを取り付け、このチェックバイトに対して歯の咬み合わせ位置を記録することを特徴とする。ここで、基準部材としては、従来インプラントに対して装着されるロケータと呼ばれる金属部材などが使用可能である。基準部材は、インプラントに刺差し込まれるものであれば、ロケータ以外のものでも良いが、型（歯の咬み合わせ）を採取できる本願発明者の発明した歯科用位置合わせ治具を使用することが好ましい。
本発明によれば、歯槽骨にしっかり固定したインプラントに対して装着される基準部材を配して、正確な咬み合わせ記録ができる。特に、歯の咬み合わせ記録で重要な点は、咬み合わせ高さであるが、本発明によれば、歯槽骨にしっかり固定したインプラントに対して装着される基準部材を配しているので、正確な高さを測定することができる。そして、本発明者が開発した歯科用位置合わせ治具を使用することにより、型（歯の咬み合わせ）を採取できる点や、その角度変更なども可能なことから、上記ロケータなどと比較すると格段に高い精度で歯の咬み合わせ記録を得ることができる。
【００１２】
本発明としては、前記咬み合わせ記録は、１本から数本の義歯を製作するために、その範囲に及ぶチェックバイトを配して歯の咬み合わせを記録するもので、前記基準部材を複数本使用して口腔内における前記チェックバイトの位置決めをすることを特徴とする。また、前記咬み合わせ記録は、上顎又は下顎の全ての義歯を製作するために、その範囲に及ぶチェックバイトを配して歯の咬み合わせを記録するものであり、前記基準部材を複数本使用して口腔内における前記チェックバイトの位置決めをすることを特徴とする。
本発明によれば、例えば、左右の奥歯と前歯の３箇所のような複数個所での歯の咬み合わせ記録（高さ位置や角度等）をとることにより、総入れ歯を製作したり、又、ブリッジの場合は、その両端側２箇所配置するなどして使用することにより、又、歯が欠損して遊離端になった箇所についても、これら複数個所の測定により精度の高い咬合採得が可能になる。
【００１３】
本発明としては、前記歯の咬み合わせ記録したチェックバイトから咬み合わせ記録３Ｄ図を作成するか、又は、前記基準部材を含めて前記歯の咬み合わせ記録したチェックバイトから咬み合わせ記録３Ｄ図を作成することを特徴とする。
本発明によれば、前記咬み合わせ記録したチェックバイトから３Ｄ図（三次元図）を作成することで（写真撮影を元にしたり、前記複数個所からの数値情報などからチェックバイトを３Ｄ図で作成することで）、これを元に義歯のイメージを３Ｄ図で作成したり、バーチャルの咬合機器に取り付けたりして（合成して）、患者に見せたり、さらに患者の個人データとして保管するなど様様な使用が可能になる。
【００１４】
また、本発明の歯科用３Ｄ図作成方法は、３Ｄ（三次元）図で歯の咬み合わせを記録する歯科用３Ｄ図作成方法において、歯の咬み合わせ状態を記録するチェックバイトと、口腔内に配されたインプラントに対して装着される３Ｄ図作成のための基準部材とを配して、この基準部材をインプラントに装着させた状態でチェックバイトに歯の咬み合わせ位置を記録し、この記録したチェックバイトから咬み合わせ記録３Ｄ図を作成することを特徴とする。
ここでの歯科用３Ｄ図作成方法としては、歯の咬み合わせ記録を採取したチェックバイトからそのまま３Ｄ図のチェックバイトを作成する方法と、歯の咬み合わせ記録を採取したチェックバイトの歯型の形状（歯型跡）や大きさをその溝形状等から採取したチェックバイトの歯型から３Ｄ図（歯型の３Ｄ図）を作成する方法があり（歯型跡からの採取方法）、これらは歯の咬み合わせからうまれる凹凸の表裏一体の関係のあるものであり、いずれを３Ｄ図化しても良い。そして、基準部材としては、従来インプラントに対して装着されるロケータなどが使用可能である。基準部材は、インプラントに差し込まれるものであれば、ロケータ以外のものでも良いが、型（歯の咬み合わせ）を採取できる本願発明者の発明した歯科用位置合わせ治具を使用することが好ましい。
本発明によれば、歯槽骨にしっかり固定したインプラントに対して装着される基準部材や歯科用位置合わせ治具を配して、正確な咬み合わせ記録ができるので、この記録を元に３Ｄ図を作成することで、正確な咬み合わせ記録３Ｄ図を作成することができる。
【００１５】
本発明としては、前記咬み合わせ部材のチェックバイトは、口腔内の複数箇所において歯の咬み合わせ位置を記録し、前記咬み合わせ記録３Ｄ図は、上記複数箇所において歯の咬み合わせ位置を記録したものを連続するように咬み合わせ記録３Ｄ図であることを特徴とする。
本発明によれば、例えば、左右の奥歯と前歯の３箇所のような複数個所での歯の咬み合わせ記録（高さ位置や角度等）をとることにより、総入れ歯を製作したり、又、ブリッジの場合は、その両端側２箇所配置するなどして使用することにより、又、歯が欠損して遊離端になった箇所についても、これら複数個所の測定により精度の高い咬合採得が可能になる。そして、複数個所での咬み合わせ記録でも、又、仮にチェックバイトの配されない箇所でも、これを連続するように３Ｄ図で表すことで、咬合器や３Ｄの咬合器（バーチャル咬合器）などと合成可能である。
【００１６】
本発明としては、前記基準部材を含めて前記咬み合わせ記録３Ｄ図を作成することを特徴とする。
歯の咬み合わせ記録で重要な点は、咬み合わせ高さであるが、本発明によれば、歯槽骨にしっかり固定したインプラントに対して装着される基準部材を配しているので、正確な歯肉から高さやインプラントからの高さを測定することができる。そして、高さを決める基準部材を３Ｄ図作成過程でこれを３Ｄ図加工で隠すことがきるとともに、患者に見せたり、営業用に使用したり、又、バーチャルの咬合機器に取り付けて使用するときにも、見栄えが悪くすることとがない。
このように作成した咬み合わせ記録３Ｄ図は、義歯やロウ堤等の製作の基準となるものであるので、これらの３Ｄ図との合成処理が可能であり、又、咬合印象、石膏模型などと合成加工することで、患者の歯の咬み合わせ記録をした実物としてのチェックバイトや、義歯等製作に使用する咬合器などの様々なものを実際に保管しなくとも、コンピュータ上で３図化して保管することができるようになる。
【発明の効果】
【００１７】
本発明の咬合採得法によれば、歯槽骨にしっかり固定したインプラントに対して装着される基準部材を配して、正確な咬み合わせ記録ができ、特に基準部材を複数個配することで、仮に全体に及ぶＵ字状のチェックバイトを用いなくとも、正確な咬み合わせ記録ができる。この咬み合わせ記録したチェックバイトを用いることで、３Ｄ図のバーチャルの咬合機器に取り付けたり（合成したり）、ロウ堤と取り付けたり（合成したり）などの活用が図られる。
そして、咬み合わせ記録したチェックバイトから３Ｄ図（三次元図）を作成することで（写真撮影を元にしたり、数値情報からチェックバイトを３Ｄ図で作成することで）、患者に見せたり、さらに患者の個人データとして保管するなど様様な使用が可能になる。また、チェックバイトの３Ｄ図を保管しておくことで、実物としてのチェックバイトを保管しなくともよくなる利点があることのみならず、正確な測定結果に基づき、実用的な測定や検診（歯科診断）に役立てることができる。さらに、これを元にして義歯のイメージを３Ｄ図で作成したり、３Ｄ図のバーチャルの咬合機器に取り付けたり（合成したり）、ロウ堤と取り付けたり（合成したり）、又、上顎印象（上部構造）及び下顎印象（下部構造）と合成させたり等等の活用が図られる。
【図面の簡単な説明】
【００１８】
【図１】本発明の一実施形態の歯科用位置合わせ治具を咬合器に取り付けた作業用模型に装着した状態を示す斜視図である。
【図２】本発明の一実施形態の歯科用位置合わせ治具を咬合器に取り付けた作業用模型に装着した状態を示す斜視図である。
【図３】本発明の一実施形態の歯科用位置合わせ治具を咬合器に取り付けた作業用模型に装着した状態を示す斜視図である。
【図４】上記実施形態の歯科用位置合わせ治具とインプラントを示す斜視図である。
【図５】上記実施形態の歯科用位置合わせ治具とインプラントを連結させた状態を示す斜視図である。
【図６】上記実施形態の基準部材である歯科用位置合わせ治具の取り付け状態を示す斜視図である。
【図７】上記実施形態の基準部材であるロケータを取り付けた状態を示す斜視図である。
【図８】（ａ）は、上記実施形態のチェックバイトで咬合採得する状態を示す斜視図であり、（ｂ）は、基準部材である歯科用位置合わせ治具を連結させた例を示す斜視図である。
【図９】（ａ）は、上記実施形態の咬合採得の咬み合わせ記録をとる状態を示す斜視図であり、（ｂ）は、３Ｄ図を作成する箇所を説明する斜視図である。
【図１０】（ａ）は、上記実施形態の咬合採得したチェックバイトを示す斜視図であり、（ｂ）は、３Ｄ図を作成する箇所を説明する斜視図である。
【図１１】上記実施形態の３Ｄ図化したチェックバイトを３Ｄ図化した咬合器と合成した３Ｄ図を示す斜視図である。
【図１２】上記実施形態の３Ｄプログラム装置を説明する図である。
【図１３】上記実施形態の複数の箇所で咬合採得する場合の例を説明する図であり、（ａ）はＵ字形のチェックバイトを使用する場合の説明図であり、（ｂ）〜（ｃ）は１本から数本の義歯を作成する場合を想定したチェックバイトの例を説明する説明図である。
【図１４】本発明の一実施形態の咬合採得法による義歯製造のフロチャートである。
【図１５】従来のロウ堤と該ロウ堤を咬合器に取り付けた状態を説明する斜視図である。
【図１６】従来のチェックバイトの使用例を説明する側面図である。
【図１７】本発明の一実施形態の咬合採得法による３Ｄ化したチェックバイトの表示例を説明する平面図である。
【発明を実施するための形態】
【００１９】
以下、本発明を適用した具体的な実施の形態について図面を参照しながら詳細に説明する。
（基準部材：歯科用位置合わせ治具）
図１から図３は、本実施の形態の歯科用位置合わせ治具を作業用模型（上顎模型）に装着させた斜視図である。図４と図５は、基準部材としての歯科用位置合わせ治具とインプラントを示す斜視図である。本実施の形態の基準部材１０は、位置合わせ記録のためのバイト材２ｂが配されるバイト材固定部２と、口腔内のインプラントＰに対して着脱させるためのインプラント連結部３とを備え、インプラント連結部３の上方にバイト材固定部２が配されている、歯科用位置合わせ治具１Ａである。なお、基準部材１０としては、後述するロケータ１０Ｒを使用しても良い（図１０参照）。
【００２０】
歯科用位置合わせ治具１０（１Ａ）のインプラント連結部３は、口腔内の配されたインプラントＰに対して着脱させるもので、凸状を呈する上方側の太径部３ａと下方側の細径部３ｂが形成され、これらの境は段差部３ｃが形成されると共に突起３ｔが３個形成されている。これらの形状３ａ，３ｂ，３ｃ，３ｔに対応する部分がインプラントＰの凹部Ｐａに形成され、上記３個の突起３ｔは、１２０度ごとに形成され、インプラント連結部３を周方向に角度変更可能に構成されている。すなわち、インプラント連結部３の細径部３ｂの外周は、断面視で三角形（などの多角形状）に形成されており、これに対応する多角形状の凹部ＰａがインプラントＰに形成されている。
上記連結インプラント３の細径部３ｂとしては、後述するインプラントＰの凹部Ｐａに差し込まれて回転可能でその角度が調整できるように、インプラントＰの凹部Ｐａの外周に突起片を所定間隔で設けることも可能である。なお、インプラント連結部３の方を凹部とし、インプラントＰの方を凸部にしても良い。また、図４（ａ）（ｂ）に示すように、インプラント連結部３の長さの違う歯科用位置合わせ治具１Ａを製作して、患者に適合するよう使い分けても良い。また、インプラントＰの関係でネジ式でインプラントＰに連結するインプラント連結部３でも良い。インプラント連結部３の外周形状は円形でもよく、インプラントＰの凹部Ｐａのほうも円形でも良く、一方が円形で他方が多角形でも良い。
ここで、市販のインプラントＰでも凹部Ｐａが断面三角形のような周溝で形成されたものがあるので、市販品でも角度変更可能である。しかし、更に回転角度の細かな設計が可能なように更に多角形（１２角形等）の凹部に形成することが好ましい（図１１）。
また、インプラント連結部３の中心には、維持穴３ｄが形成され、連結部材（ネジ頭を有する連結用ネジ）３ｇにより（図４（ｂ））、インプラント連結部３がインプラントＰとの連結固定ができる。
【００２１】
バイト材固定部２は、咬み合わせ部材であるバイト材（シリコンやレジン等）２ｂが配されるもので、円形の凹部２ａを備えた頭部を有している。凹部２ａの所定箇所には係止用穴２ｃが形成されている。この係止用穴２ｃは、バイト材２ｂが移動しないようにするために、流体状のシリコンやレジン等を凹部２ａに流すと、上記係止用穴２ｃにも流れ込み、硬化すると、バイト材２ｂの動きが阻止され、咬み合わせにより上下の歯の位置関係を記録するときにも、バイト材が移動しないようにする。バイト材２ｂは、高さ方向に複数層を形成しても良いが、高さ方向の調整をするためには、凹部２ａの底に敷設可能なシート状部材を介在させて調整しても良い。本実施の形態では、バイト材固定部２の凹部２ａの大きさは、インプラントＰが配される位置の歯（仮想の歯）よりもやや小さな大きさ（径）である。
【００２２】
上記本実施の形態の歯科用位置合わせ治具１Ａは、前記バイト材固定部２がインプラント連結部３の中心軸Ｃよりもその位置をずらして配されている。すなわち、インプラント連結部３の中心軸Ｃの上方先端部には、その位置を示す維持穴３ｄが形成され、その位置から片側外周に偏心した位置に前記バイト材固定部２が設けられている。これは、例えば、歯の本数がすべて揃っておらず欠損しているような場合でも、その欠損した歯の位置での咬み合わせ記録が可能である。すなわち、位置合わせ治具１Ａのインプラント連結部３をインプラントＰに差し込み固定した後、隣接する歯の欠損した位置に上記偏心した前記バイト材固定部２を位置させることにより、欠損した歯（ここでは最奥歯Ｔｂ）の位置での咬み合わせ記録を可能としたり（図１３（ａ）参照）、また、上記偏心した位置にある前記バイト材固定部２の歯科用位置合わせ治具１Ａを使用すれば、インプラント（埋設した状態の埋設インプラント）Ｐの位置よりも奥の位置にも（インプラントＰの位置から離れた位置）、偏心した位置に前記バイト材固定部２を位置させることができ、奥側での装着や歯の存在しない位置（対応する顎の歯があるとする。）での咬み合わせ記録をとることもできる。
【００２３】
（咬合採得法と義歯の製造方法）
次に、上記位置合わせ治具を配して咬合採得法と義歯の製造方法を説明する。
ここでは、偏心位置に配されるバイト材固定部２を有する歯科用位置合わせ治具１Ａを配して、上顎の総入れ歯をメタルフレームの義歯で作成する場合で説明する。図１から図３は、本実施の形態の歯科用位置合わせ治具１Ａを上顎模型Ｍに装着させたものであるが、実際の患者の口腔内に歯科用位置合わせ治具１Ａを装着させる場合も、これと同じ状態になる。
図１４は、従来例と比較して示す本実施の形態の義歯の製造フローである。
まず、患者診察を行い、インプラント治療に必要な審査を行い、インプラントの治療が可能かどうかを判断して、可能な場合は、歯の根に相当するインプラントＰの部分（＝フィクスチャー）を手術により顎骨（歯槽骨）に埋入する手術を行う（フィクスチャー埋入の手術）。ここでは、上顎の全域に所定間隔を置いてインプラントＰを埋設するものとする。
【００２４】
そして、口腔内の埋入したインプラントＰに、歯科用位置合わせ治具１Ａを装着する。すなわち、埋入したインプラントＰの凹部Ｐａに、歯科用位置合わせ治具１Ａのインプラント連結部３を角度を合わせながら装着する。このとき、インプラント連結部３の細径部ｂをインプラントＰに差し込む際の位置を特定した状態のマーキングをしておけば、歯科用位置合わせ治具１Ａを取り出して、これを実際の口腔内の状態と近い形で再現する作業用模型Ｍに前記マーキングを介して取り付けて、この作業用模型Ｍ上で位置合わせ治具１Ａをその取り付け角度を再現して取り付けることができる。前記マーキングによる印があれば、向きや角度を検討しなくとも装着可能である。
一方、従来と同じように、患者診察を行い、印象採得（個人トレーを用いた精密印象）を行ない、咬合採得を行なうが、本実施の形態の咬合採得では上記歯科用位置合わせ治具１Ａを使用することにより、印象採得と同時にでも、或いは、印象採得の前でも咬合採得を行なうことができる。
【００２５】
本実施の形態では、総入れ歯を作成するために、左右の奥歯の位置と前歯の位置の３点の位置の埋設インプラントＰに対して歯科用位置合わせ治具１Ａを装着する。凡その咬み合わせの高さや水平的な位置も決定するために、つまりバイト材２ｂの厚みや装着感を確認するために予め口腔内の埋設インプラントＰに装着してみる（仮装着）。なお、前記バイト材固定部２にバイト材２ｂを厚めに充填させた歯科用位置合わせ治具１Ａで咬み合わせ記録をとっても良い。
ここでは、バイト材の厚みを考慮する等を検討するために、上記仮装着をすることとすると、歯科用位置合わせ治具１Ａの高さ（特にバイト材固定部２の高さ）も問題となるが、解剖学的な見地や一本でも残っている歯があるときには、その高さ位置よりも低い位置にバイト材固定部２の高さが来るようにして余裕のある厚みでバイト材２ｂをバイト材固定部２の凹部２ａに充填する。また、ブリッジや遊離端となった箇所では、近接する歯（残っている歯）の高さ位置よりも低い位置にバイト材固定部２の高さとなる歯科用位置合わせ治具１Ａを使用する。歯科用位置合わせ治具１Ａは、図４（ａ）（ｂ）のように高さの異なるものをいくつか用意しておくと、高さの調節が可能である。
【００２６】
次いで、一旦取り出して、バイト材２ｂを前記バイト材固定部２に充填させてから、再度患者の口腔内に装着する。本実施の形態では、左右の奥歯の位置と前歯の位置の３箇所に装着すると、インプラントＰの先端部とインプラント連結部３の段差部３ｃが当接して高さが決まる。そして、患者に歯の咬み合わせを行なってもらう（図３参照、図１４の咬合採得）。図３は、歯科用位置合わせ治具１Ａを上顎模型Ｍに装着させたものであるが、実際の患者の口腔内に歯科用位置合わせ治具１Ａを装着させる場合も、これと同じ状態になるので、実際の患者の口腔内に歯科用位置合わせ治具１Ａを装着させる図は省略する。そして、前記角度が決まった場合は、埋入したインプラントＰの凹部Ｐａに前記インプラント連結部３を装着して、維持穴３ｄに固定用ネジ３ｇを挿入して固定する（図４（ｂ）参照）。
ここで、前記バイト材固定部２に高さ調整用のシート材を介してバイト材２ｂを前記バイト材固定部２に充填することで、高さ調整を容易にしたり、バイト材２ｂの使用量を少なくしたり、位置ずれを防止したりしても良い。咬み合わせの記録を多く記録するために、インプラントＰに対する取り付け角度を変更して咬み合わせの記録をしたり、前記長さの異なる歯科用位置合わせ治具１Ａを交換して咬み合わせ記録をとっても良い。また、前記偏心した位置のバイト材固定部２を、前記欠損した位置（例えば欠損した奥歯の位置）に向けた状態にして、咬み合わせ記録をとっても良い。奥歯は咬み合わせの基準になることが多いので、このような記録を採取することも安定した入れ歯を製作する上では有効である。しかも、本発明では歯槽骨に装着したインプラントＰを基準に咬合採得するので、精度の高い咬み合わせ記録がとれる。
【００２７】
次いで、バイト材固定部２に配されるバイト材２ｂにより歯の咬み合わせ位置を記録した後は、この位置合わせ記録（咬合採得）を行った位置合わせ治具１Ａを取り出して、これを実際の口腔内の状態と近い形で再現する作業用模型Ｍに取り付けて（図１、図の咬合器Ｋに装着）、この作業用模型Ｍ上で検査や補綴物の製作・調整などを行う。すなわち、従来のロウ堤を使用しないで、歯科用位置合わせ治具１Ａを作業用模型Ｍ上で再現する。したがって、患者診察の必要もなく（図１４参照）、患者の口腔内における負担も少なくなる。
本実施の形態では、上記再現した内容でメタルフレームを作成する。なお、図１４において、「上部構造の製作」とは、インプラントの上部に配される人工歯肉や人工歯などを言う。
ここでは、その後の試適（入れ歯の吸着具合、咬み合わせ、歯並び等を検討する。）との調整を図りながら、メタルフレームによる入れ歯を完成に近い状態にする。なお、上記再現した後は、ロウ堤を配して、人工歯の配列と口腔内試適を歯科技工士が人工歯を並べ、入れ歯を完成に近い状態にしても良い。そして、患者の口の中で咬み合わせ、唇や頬のふくらみ等を確認し、入れ歯が完成する。
【００２８】
ところで、義歯のうちでも総義歯の場合の印象採得は型を「作る」と言う創造的な作業である。総義歯の場合は上下の顎の位置関係が不定であるのみならず、その空間中のどの位置に歯を並べたらよいかなど創造的にならざるを得ない。そこで何かを目安にして歯並びと咬み合わせの位置を決めることが良いと本願発明者は考える。医療現場では、現在使っている義歯があればそれを参考にすることがある。口腔内の解剖学的な目印、唇の周りの張り具合、顔の長さなどを目安することもある。しかし、印象以上に患者の動きや感覚に左右されることが大きい。
このような点を考慮するとき、本願発明者は、歯の咬み合わせの記録をいくつも採取することが重要であると考える。そのためには、例えば、奥歯のない位置での記録をとったり、また、敢えて患者に咬み合わせをずらしてもらって咬み合わせ記録をとったり、そしてこれらを連続して記録することが有効である。このような要請に応えるため、本実施の形態のような偏心した位置にある前記バイト材固定部２を有する歯科用位置合わせ治具１Ａにより角度を変更したり、敢えて患者に上下の歯のずれるような位置での咬み合わせをしてもらって、数箇所の咬み合わせ記録をとることが好ましい。
また、総入れ歯であるか否かを問わず、インプラントＰを配する箇所（図１と図２の例では６箇所）では、すべて歯科用位置合わせ治具１Ａを装着して咬合採得するようにすると、総入れ歯の製作に役立つことは勿論、例えば１本義歯の製作でも、全体的な咬み合わせの中における１本の咬み合わせ記録となり、精度が高くなる。
【００２９】
（本発明の咬合採得法）
本発明の咬合採得法は、粘着性の部材であるチェックバイト１１を使用し、そしてこれを３Ｄ図化する。チェックバイト１１は、口腔内に配されたインプラントＰに対して基準部材１０を取り付けるとともに、この基準部材１０を介してチェックバイト１１を配して歯の咬み合わせ位置を記録する。
まず、上顎又は下顎の全ての義歯を製作するために、その範囲に及ぶチェックバイト１１を使用するが、本実施の形態では、基準部材である歯科用位置合わせ治具１Ａを複数本使用して、図８〜図１０のように、チェックバイト１１を位置決めしてから、歯の咬み合わせ記録をとる。
【００３０】
ここで、基準部材１０としてはロケータ１０Ｒと呼ばれる部材を使用しても良いが（図７）、歯科用位置合わせ治具１Ａを使用すると、図１３（ａ）のように、奥歯Ｔｂに相当する歯がないときでも（符号Ｔｂは、実際には無い奥歯を示す。）、その仮想の奥歯Ｔｂを基準にチェックバイト１１に歯の咬み合わせ状態を記録したり、上記チェックバイト１１がないところでも歯の咬み合わせ記録をとることができる。つまり、本実施の形態では、必ずチェックバイト１１を使用するが、部分的にチェックバイト１１を使用して、それ以外の箇所では、歯科用位置合わせ治具１Ａのバイト材固定２で歯の咬み合わせを記録できる。また、歯科用位置合わせ治具１Ａを使用すると、バイト材固定部２にチェックバイト１１を乗せるようにできるので、チェックバイト１１の安定化が図られる。
これに対して、図７に示すように、従来のロケータ１０Ｒと呼ばれる基準部材を使用して、チェックバイト１１で歯の咬み合わせ記録を採取する場合は、インプラントＰに対して取り付けたロケータ１０Ｒに対して突き刺すようにしてチェックバイト１１を取り付ける。このように取り付けると、ロケータ１０Ｒからチェックバイト１１を外すことも難しいが、歯科用位置合わせ治具１Ａを使用すると、チェックバイト１１を外すことも容易である。すなわち、図１６は従来の基準部材１０を使用しない場合の例であるが、歯Ｑの上にチェックバイト１１が乗せられるにすぎず位置ずれは勿論、高さの正確な維持が図られていない。
また、基準部材１０として歯科用位置合わせ治具１Ａを使用すると、偏心位置での咬合採得や（図１３（ａ）や図１７を参照）、回転角度を調節して咬合採得することも可能であり、従来のロケータ１０Ｒよりもその利点は大きい。
【００３１】
（歯科用３Ｄ図制御プログラム）
そして、上記のような各咬合採得法で採得したデータから咬合印象（仮想の咬み合わせ記録したチェックバイト）を作成する。
本実施の形態は、図１２に示すように、ＣＡＤ／ＣＡＭデータなどの設計図作成プログラムがインストールされた制御プログラム（ハードディスク）２を備え、処理プログラムには、設計図データ作成プログラムや３Ｄ（三次元）図で表示する３Ｄ模型図面の作成機能を有し、３Ｄデータ作成プログラム等がインストールされているコンピュータＣである。このコンピュータＣには、チェックバイト情報蓄積データベース５１、基準部材情報蓄積データベース（ＤＢ）５２、インプラント情報蓄積データベース（ＤＢ）５３と、口腔内情報蓄積データベース（ＤＢ）５５を備えている。チェックバイト情報蓄積ＤＢ５１は、粘性の材料であり歯の咬み合わせを記録するチェックバイトの大きさや形状等の情報が蓄積され、基準部材情報蓄積ＤＢ５３は、使用するロケータや歯科用位置決め治具１Ａなどの基準部材１０の大きさや形状等の情報を蓄積しており、インプラント情報蓄積ＤＢ５３は、３Ｄ図に用いる投射情報や、３Ｄ図の咬合器Ｋｖ等との合成表示方法などの情報を蓄積している。口腔内情報蓄積ＤＢ５５は、患者の口腔内の情報、例えば、歯の並びや義歯の位置などのデータを蓄積している。
【００３２】
各種プログラムを含む各種情報を格納する読み取り専用のＲＯＭ（Read
Only Memory）と、ワークエリアとして機能するＲＡＭ（RandomAccess Memory）と、各種情報を読み出し及び／又は書き込み可能に記憶する記憶部３と、ユーザインターフェースとしての操作デバイスを介した入力操作の処理及び制御を行う入力操作制御部１１と、各種情報を表示する表示部３２と、撮影手段３１を備える。ＣＰＵ４は、記憶部３等に格納されている各種アプリケーションプログラムをはじめとする各種プログラムを実行し、各部を統括的に制御する。ＲＯＭは、各種プログラムをはじめとする各種情報を格納している。このＲＯＭに格納されている情報は、ＣＰＵ４の制御のもとに読み出される。ＲＡＭは、ＣＰＵ４が各種プログラムを実行し、ＣＰＵ４の制御のもとに、各種情報を一時記憶するとともに、記憶している各種情報を読み出す。撮影手段３１は、主に歯の咬み合わせ位置を記録したチェックバイトを撮影するが、咬み合わせ前のチェックバイトなどを撮影するためにも使用する。
【００３３】
処理プログラム２１としては、３Ｄ画像処理手段Ｄ１などを備え、後述のようにプログラム処理される。
記憶部３は、各種データベースからの情報を処理プログラム２１により処理する制御部であり、患者の口腔内の情報、例えば、歯の並びや義歯の位置などデータや（図３）、チェックバイトの長さ・幅や大きさ・位置を示す数値情報等を格納し、これを読み出すとともに、必要な３Ｄ加工処理を行なう。この記憶部３としては、例えば、ハードディスクや不揮発性メモリ等、すなわち、本体に対して着脱可能とされるフレキシブルディスクやメモリカード等の記憶媒体に対して、各種情報の読み出し及び／又は書き込みを行うドライブ装置も含まれる。この記憶部３に記憶されている各種情報は、ＣＰＵ４の制御のもとに読み出される。
【００３４】
入力操作制御部３０は、例えば、キーボード、マウス、キーパッド、赤外線リモートコントローラ、スティックキー、又はプッシュボタンといった、ユーザインターフェースとしての図示しない所定の操作デバイスを介した入力操作を受け付け、操作内容を示す制御信号をＣＰＵ４に対して供給する。入力操作制御部３０は、表示部３２に表示された３Ｄ図にインプラントＰや基準部材１０を表示する機能を有させたり、又、階層表示手段Ｄ７を介して、チェックバイトを透明に表示して階層的に描かれているインプラントＰや基準部材１０を表示することができる。
表示部３２は、例えば、液晶ディスプレイ（Liquid
Crystal Display）、有機エレクトロルミネッセンス（Organic Electro
Luminescent）ディスプレイといった各種表示デバイスであり、ＣＰＵ４の制御のもとに各種情報を表示する。
【００３５】
本実施の形態のコンピュータの制御プログラム２は、チェックバイト情報蓄積（ＤＢ）５１からり義歯の設計をする画面を表示するとともに、３Ｄ図を作成する画面を表示することができ、そしてこれらを同時に表示部３２に表示しながら処理プログラム２１により作成する。したがって、技工士と歯科医師と患者が各々画面表示を見ながら打ち合わせすることができる（図１２）。
【００３６】
処理プログラム２１の内容は、３Ｄ画像処理手段Ｄ１と、歯型採取処理Ｄ２と、画像変換処理Ｄ３と、高さ測定処理Ｄ４と、測定手段（３点測定手段）Ｄ５と、合成処理手段Ｄ６と、階層表示処理Ｄ７とを備える（図１２）。
３Ｄ画像処理手段Ｄ１は、チェックバイト１１やロウ堤Ｔｒ、義歯Ｇなどの計測情報から３Ｄ図を作成するプログラムを備える。歯型採取処理手段Ｄ２は、歯の咬み合せしたときのチェックバイト１１から採取される歯型の形状（歯型跡）や溝の深さ（高さ）のほか、インプラントからのずれ量などを採取して、咬み合わせ記録３Ｄ図を作成する情報を得る。また、歯型の形状や溝の深さなどを採取するためにマーキングを施したり、マーキングを施した箇所を切り取ったり、又は、チェックバイト１１のない箇所にも連続させるマーキングを施したり、マーキングを施した箇所を切り取ったりなどを行なう。
高さ測定処理Ｄ４は、インプラントＰから基準部材１０の高さ位置や、インプラントＰからチェックバイト１１の高さ位置や歯肉からの高さ位置などを採取する。また、チェックバイト１１から採取される歯型の深さ（高さ）も採取可能である。
測定手段（３点測定手段）Ｄ５は、基準部材１０を複数（主には３ヶ所）配置して、三角測量などによる測定結果からチェックバイト１１の３Ｄ図を作成したり、チェックバイト１１に記録される歯の咬み合せ情報（咬み合わせの痕跡）から、口腔内にける適正な位置などを測定する。
合成処理手段Ｄ６は、基準部材１０を使用して、複数個所の測定をするが、この計測データから略Ｕ字状のチェックバイト１１ｂに加工するときに計測していない箇所をあたかも略Ｕ字状であるかのように塗りつぶす作業や、所定箇所を切り取る作業を行なうことや、３Ｄ化したチェックバイト１１ｂ，１１，１１ｐと３Ｄ化した咬合器などと合成処理したり、３Ｄ化したロウ堤と合成したり、又、仮想のチェックバイト１１ｐを介して上顎印象（上部構造）及び／又は下顎印象（下部構造）とを合成させたりする。また、インプラント情報蓄積ＤＢ５３等から与えられたインプラント情報と合成させたり、インプラントＰを３図化して、３図化した基準部材１０と合成させたりすることもできる。
階層表示手段Ｄ７は、チェックバイト１１のみ表示したり、基準部材のみ表示したり、これらを合わせて階層的に表示するとともに、いずれか一方を表示したり、重ね合わせて同時に表示させたりする（図１７参照）。また、階層処理手段Ｄ７としては、３Ｄ図による仮想の咬合器Ｋｖのみ表示したり、基準部材１０のみを表示したりする。
【００３７】
（歯科用３Ｄ図作成方法）
まず第１に、上顎又は下顎の全ての義歯を製作するときは、その範囲に及ぶチェックバイト１１を使用するが、このチェックバイト１１に本発明の方法で咬合採得すると（図１３（ａ）参照）、そこに歯の咬み合せ情報（咬み合わせの痕跡１１ｈ）が記録されるため、その記録されたチェックバイト１１をそのまま３Ｄ図にすれば良い。３Ｄ画像処理手段Ｄ１により歯の咬み合わせ記録を採取したチェックバイトの情報（数値情報）や、あるいは、撮像手段３１で撮像したものから、その全体の数値データから３Ｄ図を起こすなどして３Ｄ図を作成する。また、本実施の形態では、撮像手段３１としてスキャニング装置３１Ａを備えるので（図１２）、咬み合わせ記録を採取したチェックバイト１１の情報をスキャニングすると、その他の情報と合わせて３Ｄ画像処理手段Ｄ１が３Ｄ図を作成する。
【００３８】
ここで、本実施の形態では、図９（ｂ）に示すように、基準部材１０も含めて３Ｄ図を作成する。咬み合せで重要な高さ測定を含めたチェックバイト１１ｂを作成するとしても、３Ｄ図上では基準部材１０を表示しないようにすることが好ましく、このため、合成処理手段Ｄ６は、略Ｕ字状のチェックバイトに加工するときに計測していない箇所をあたかも略Ｕ字状であるかのように塗りつぶす作業を行なう。このように３Ｄ加工することで、患者には、基準部材１０を見せないでおく工夫ができる。なお、図１０（ａ）の咬み合わせ記録したチェックバイト１１ｂのデータを採取することで、基準部材１０を含めないチェックバイトの３Ｄ図も勿論作成可能である。
また、図９（ｂ）や図１０（ｂ）に示すように、チェックバイト１１で歯の咬み合わせを行ったときにできる痕跡（マーキングした箇所）１１ｍを３Ｄで表示することも可能である。この痕跡（マーキングした箇所）１１ｍを３Ｄで表示すると、図１０（ａ）のチェックバイト１１のように厚みがなくなるので（余分な厚みがない咬み合わせ記録３Ｄ図）、より高精度な位置合わせのできる３Ｄ図としてのチェックバイト１１ｍが作成可能である（図１０（ｃ）参照）。
【００３９】
第２に、１本から数本の義歯を製作するときは、その範囲に及ぶチェックバイト１１を使用すると共に、歯科用位置合わせ治具１Ａをチェックバイトの位置以外でも使用して（図１３（ｂ）（ｃ）参照）、これらのデータを総合して（口腔内の全体を考慮に入れた義歯の位置を測定して）、前記チェックバイト１１ｂから３Ｄ図を作成する。この場合も基準部材１０を含めたチェックバイト１１の高さを測定して３Ｄ図を作成することが好ましい。歯科用位置合わせ治具１Ａを使用すれば、上記チェックバイトは使用せずに複数箇所の咬合採得ができる。複数個所での咬合採得としては、三角測量の要領で計測する測定手段を備えて測定したり、レーザ光で入力対象をスキャンする写し取り手段を備えて、その反射光を撮像手段（ＣＣＤカメラ）３１で受光し（三角測距の原理で被写体との距離情報を得て）、３次元データ化することもできる。コンピュータ画面では、測定したい箇所の３点を入力装置によりポイントすると、ポイントした３箇所間の距離が自動で表記されるポインティング測定手段を備えている。なお、本実施の形態では、複数個所で歯科用位置合わせ治具１Ａを装着して歯の咬み合わせを行なう場合を例に説明したが、この複数の位置を入れ替えて、それを何度か行なって、更に詳細な咬み合わせ記録を行なっても良い。その回数が多くなることで、一つ一つの小さな歯科用位置合わせ治具から得られるデータは仮に一つであっても、口腔内を再現する作業用模型としては、きわめて精度の高い口腔内を再現でき、義歯の製作や咬み合わせ記録の検討ができるようになる。
【００４０】
また、複数個所での咬合採得を行ないながら、１本から数本の義歯を製作するときのためのチェックバイト１１（Ｂ）を製作することも可能である（図１３（ａ）〜（ｄ））。そして、合成処理手段Ｄ６により、図１３（ｃ）のチェックバイトＢ３を、図１３（ｂ）のチェックバイトＢ２や、図１３（ａ）のチェックバイトＢ１に重ね合わせるようにして表示して計測の確認を行なうことや、階層手段Ｄ７により、これを個別に表示したりすることも可能である。
なお、複数の歯科用位置合わせ治具１Ａ（１０）を使用する場合、図８（ｂ）に示すように、歯科用位置合わせ治具１Ａを連結する連結バー（金属棒）Ｂａを配して、２つ以上の歯科用位置決め治具１ＨをインプラントＰから同時に取り外すとともに、作業用模型に同時に装着することも可能である。
【００４１】
次に、作成した咬み合わせ記録３Ｄ図は、咬合器Ｋを使用して義歯Ｇやロウ堤Ｔｒ等の製作の基準となるものであるので、種種の３Ｄ図との合成処理が可能である。また、チェックバイトの３Ｄ図を保管しておくことで、患者の歯の咬み合わせ記録を、実物としてのチェックバイトを保管しなくともよくなる利点がある。
【００４２】
作成したチェックバイトの３Ｄ図の使用例として図１４を用いて説明する。図１４は、咬合採得を経て義歯を製造するまでのフロー図であるが（従来の方法と本願発明のフローを比較して示す図である。）、前記チェックバイト１１ｂの３Ｄ図を作成すると、合成処理手段Ｄ６により、３Ｄ図の石膏模型と合成させたり、３Ｄ図の咬合器Ｋｖと合成させたりすることができる。図１５は、３Ｄ図の咬合器（バーチャル咬合器）Ｋｖに前記３Ｄ図化したチェックバイト１１ｂを嵌め込んだ状態を想定して表示する。ここで、３Ｄ図の咬合器Ｋｖに前記歯型の３Ｄ図１１ｐを合成することも可能である。なお、本実施の形態の総入れ歯はメタルフレームと呼ばれる金属を土台にする例で説明したが、メタルフレームの義歯でロウ堤部分（歯肉部分）を製造することも可能であり、いずれも前記３Ｄ図化したチェックバイト１１ｂを基準に作成が可能である。そして、これらの合成等の過程を患者と歯科医と技工士が画面を共有することができる（図１２）。また、例えば、インプラントの埋設状態を３Ｄ化したり、個人トレー製作を３Ｄ図化したりして、これらと３Ｄ図化したチェックバイト１１ｂとの合成をすることも可能である。
また、図１７は、上顎又は下顎に対応する各々の咬み合わせ記録３Ｄ図である。各々階層表示手段Ｄ７により、チェックバイト１１のみ表示したり、基準部材１０のみ表示したり、インプラントＰのみ表示させたりすることできるが、上顎（上部構造）又は下顎（下部構造）に対応する各々の咬み合わせ記録３Ｄ図を表示することから、これらの角度合わせも自由に合成可能であり、すなわち、口をすぼめた状態から徐々に口を広げた状態の移り変わり角度を３Ｄ図で再現することも可能である。また、従来は上顎印象（上部構造）と下顎印象（下部構造）のいずれか一方づつ作成することが通常であったが、本願発明によれば、特にチェックバイト１１ｍの外周歯型跡１１ｈの外周のみを３図化したチェックバイト１１ｐを用いることで、この３Ｄのチェックバイト１１ｐを介して上顎印象及び下顎印象とを合成させることも可能になり、そして実用的な測定・検診や、歯科模型製作（石膏模型製作や３Ｄ図化した石膏模型製作）に役立てることが可能になる。
【００４３】
以上、本発明の実施形態では、粘着性の部材である総入れ歯の例と、義歯が１本の場合と、義歯が連続する数本の場合とで説明したが、どのような入れ歯を製作するときにも使用可能であり、口腔内を再現して検査したり、これを患者に説明する場合に使用したりすることも勿論可能である。そして、３Ｄ図は一般的に仮想のものと認識されることがあるが、本実施の形態のチェックバイト１１は正確な実測値によるものであり、本明細書中で「仮想の」という記載は正確な実測値を前提に記載しているものである。
【符号の説明】
【００４４】
１Ａ              歯科用位置合わせ治具（基準部材）、
２                バイト材固定部、
３                インプラント連結部、
１０                基準部材、１０Ｒ  ロケータ（基準部材）、
１１                チェックバイト（咬み合わせ記録する前のチェックバイト）、
１１ｂ              咬み合わせ記録したチェックバイト（咬み合わせ記録３Ｄ図）、
１１ｍ              基準部材を含めたチェックバイト（咬み合わせ記録３Ｄ図）、
１１ｐ              咬み合わせ記録３Ｄ図（咬み合わせ記録したチェックバイトの歯型跡からから採取した３Ｄ図）、
１１ｈ              歯型跡、
Ｋ                咬合器、Ｋｖ    ３Ｄ図の咬合器、
Ｐ                インプラント、Ｐｖ    ３Ｄ図化したインプラント、
Ｔ，Ｔｒ                ロウ堤、  Ｔｒ  ３Ｄ図化したロウ堤、
Ｍ                作業用模型（上顎模型）、
【図１】
2015165829.tif 000003
【図２】
2015165829.tif 000004
【図３】
2015165829.tif 000005
【図４】
2015165829.tif 000006
【図５】
2015165829.tif 000007
【図６】
2015165829.tif 000008
【図７】
2015165829.tif 000009
【図８】
2015165829.tif 000010
【図９】
2015165829.tif 000011
【図１０】
2015165829.tif 000012
【図１１】
2015165829.tif 000013
【図１２】
2015165829.tif 000014
【図１３】
2015165829.tif 000015
【図１４】
2015165829.tif 000016
【図１５】
2015165829.tif 000017
【図１６】
2015165829.tif 000018
【図１７】
2015165829.tif 000019